(57)【要約】  【課題】  機種の異なる複数のカメラ装置の録画パラメータをまとめて設定することのできる録画パラメータ設定装置を提供する。  【解決手段】  録画パラメータ設定装置５は、録画パラメータの設定値と一括設定パラメータの設定値との対応関係を示す一括設定テーブルを記憶している。録画パラメータは、機種ごとに異なる基準を有する個別設定項目を含み、一括設定パラメータは、個別設定項目をまとめて設定するための一括設定項目を含む。一括設定項目は、機種の異なるカメラ装置について共通の基準を有する。録画パラメータ設定装置５は、カメラ装置２の機種情報を取得し、録画パラメータの一括設定用の入力データ（一括設定項目の設定値のデータ）を受け付けると、一括設定テーブルを参照して、個別設定項目の設定値を読み出し、複数のカメラ装置２の録画パラメータの設定を行う。【選択図】  図１
2011249903.tif 000002
【特許請求の範囲】
【請求項１】
機種の異なる複数のカメラ装置が含まれたシステムにおいて用いられ、前記複数のカメラ装置の録画パラメータの設定を行う録画パラメータ設定装置であって、
前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、
前記録画パラメータ設定装置は、
前記録画パラメータの設定値と前記一括設定パラメータの設定値との対応関係を示す一括設定テーブルが記憶されているテーブル記憶部と、
前記録画パラメータの設定が行われるべき前記複数のカメラ装置の各々から、前記カメラ装置の機種情報を取得する機種情報取得部と、
前記録画パラメータの一括設定用の入力データとして、前記一括設定項目の設定値のデータを受け付ける入力データ受付部と、
前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出す設定値読出し部と、
前記設定値読出し部により読み出された前記個別設定項目の設定値を用いて、前記複数のカメラ装置の録画パラメータの設定を行うパラメータ設定部と、
を備えたことを特徴とする録画パラメータ設定装置。
【請求項２】
前記一括設定テーブルにおいて、前記一括設定項目の第１の設定値は、前記複数の個別設定項目の各々の第１の設定値に対応しており、前記一括設定項目の第２の設定値は、前記複数の個別設定項目の各々の第２の設定値に対応していることを特徴とする請求項１に記載の録画パラメータ設定装置。
【請求項３】
前記一括設定項目は、一括設定用の録画レートを含み、
前記個別設定項目は、圧縮方式、解像度、録画モード、画質、画像サイズ、フレームレート、録画レート、ビットレートのうちの少なくとも二つを含むことを特徴とする請求項１ないし請求項３のいずれかに記載の録画パラメータ設定装置。
【請求項４】
前記一括設定項目は、一括設定用の画質を含み、
前記個別設定項目は、圧縮方式、解像度、録画モード、画質、画像サイズ、フレームレート、録画レート、ビットレートのうちの少なくとも二つを含むことを特徴とする請求項１または請求項２に記載の録画パラメータ設定装置。
【請求項５】
機種の異なる複数のカメラ装置が含まれたシステムにおいて用いられ、前記複数のカメラ装置の録画パラメータの設定を行う方法であって、
前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、
録画パラメータ設定装置のテーブル記憶部には、前記録画パラメータの設定値と前記一括設定パラメータの設定値との対応関係を示す一括設定テーブルが記憶されており、
前記方法は、
前記録画パラメータの設定が行われるべき前記複数のカメラ装置の各々から、前記カメラ装置の機種情報を取得することと、
前記録画パラメータの一括設定用の入力データとして、前記一括設定項目の設定値のデータを受け付けることと、
前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出すことと、
前記設定値読出し部により読み出された前記個別設定項目の設定値を用いて、前記複数のカメラ装置の録画パラメータの設定を行うことと、
を含むことを特徴とする録画パラメータ設定方法。
【請求項６】
機種の異なる複数のカメラ装置と、前記複数のカメラ装置の録画パラメータの設定を行う録画パラメータ設定装置とを備えたシステムであって、
前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、
前記録画パラメータ設定装置は、
前記録画パラメータの設定値と前記一括設定パラメータの設定値との対応関係を示す一括設定テーブルが記憶されているテーブル記憶部と、
前記録画パラメータの設定が行われるべき前記複数のカメラ装置の各々から、前記カメラ装置の機種情報を取得する機種情報取得部と、
前記録画パラメータの一括設定用の入力データとして、前記一括設定項目の設定値のデータを受け付ける入力データ受付部と、
前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出す設定値読出し部と、
前記設定値読出し部により読み出された前記個別設定項目の設定値を用いて、前記複数のカメラ装置の録画パラメータの設定を行うパラメータ設定部と、
を備えたことを特徴とするシステム。
【請求項７】
機種の異なる複数のカメラ装置が含まれたシステムにおいて用いられ、前記複数のカメラ装置の録画パラメータの設定を行う録画パラメータ設定装置で実行されるプログラムであって、
前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、
録画パラメータ設定装置のテーブル記憶部には、前記録画パラメータの設定値と前記一括設定パラメータの設定値との対応関係を示す一括設定テーブルが記憶されており、
前記プログラムは、コンピュータに、
前記録画パラメータの設定が行われるべき前記複数のカメラ装置の各々から、前記カメラ装置の機種情報を取得する処理と、
前記録画パラメータの一括設定用の入力データとして、前記一括設定項目の設定値のデータを受け付ける処理と、
前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出す処理と、
前記設定値読出し部により読み出された前記個別設定項目の設定値を用いて、前記複数のカメラ装置の録画パラメータの設定を行う処理と、
を実行させることを特徴とするプログラム。
【発明の詳細な説明】
【技術分野】
【０００１】
本発明は、機種の異なるカメラ装置が含まれたシステムで用いられ、複数のカメラ装置の録画パラメータをまとめて設定する機能を備えた録画パラメータ設定装置に関するものである。
【背景技術】
【０００２】
従来、複数のカメラ装置を用いたカメラシステムが知られている。例えば、監視カメラシステムでは、複数のカメラ装置を用いて監視領域の監視を行う。このようなシステムでは、カメラ装置とレコーダ装置がネットワークを介して接続されており、カメラ装置で撮影した映像をレコーダ装置にデジタル伝送して記録することができるようになっている。
【０００３】
ところで、このようなシステムを構築する際には、カメラ装置ごとに録画パラメータの設定をする必要がある。しかし、多機能なカメラ装置や高性能なカメラ装置の場合には、録画パラメータの設定項目が多く、カメラ装置ごとの録画パラメータの設定が面倒であった。しかも、録画パラメータの設定項目が多いと、設定値の組み合わせの数も多くなり、設定者（作業者）が適切な値を見つけ出すのも容易でない。
【０００４】
そこで、従来、複数のカメラ装置の設定を自動的に行うシステムが提案されている（例えば特許文献１参照）。この従来のシステムでは、監視対象の特徴（動きが少ない、動きが多い、精密な画像、小さな被写体、近距離の被写体、重要度が高い、暗いなど）に応じて、カメラ装置ごとに設定が行われる。
【先行技術文献】
【特許文献】
【０００５】
【特許文献１】特開２００１−２１１４５０号公報
【発明の概要】
【発明が解決しようとする課題】
【０００６】
しかしながら、従来のシステムにおいては、機種の異なる複数のカメラ装置が含まれることについて何ら想定がされていない。上述のように、同じ機種のカメラ装置でも、多機能なカメラ装置や高性能なカメラ装置の場合には、録画パラメータの設定項目が多く、カメラ装置ごとの録画パラメータの設定が面倒であるが、カメラ装置の機種が異なる場合には、さらに、機種ごとに録画パラメータの設定項目（設定可能な項目）が異なることがある。例えば、ある機種では圧縮方式として「ＪＰＥＧ」と「Ｈ．２６４」のどちらかを選択できる（すなわち、録画パラメータの設定項目に「圧縮方式」が含まれる）のに対して、別の機種では圧縮方式が「ＪＰＥＧ」に限られている（すなわち、録画パラメータの設定項目に「圧縮方式」が含まれない）ことがある。また、同じ設定項目を有していたとしても、機種ごとに設定項目の内容（基準）が異なることがある。例えば、同じ「画質」という設定項目があったとしても、ある機種では「画質」として「１〜８」という設定値を有しており、別の機種では「画質」として「１〜５」という設定値を有していることがある。その場合、ある機種の画質「１」と別の機種の画質「１」とが同じ品質であるとは限らない。
【０００７】
一つのシステムであっても、例えば、屋内用のカメラ装置や屋外用のカメラ装置、局所撮影用のカメラ装置や高域撮影用のカメラ装置など、機種の異なるカメラ装置を用いることは少なくない。また、現在のシステムに、新しいカメラ装置を追加する場合などには、同じタイプのカメラ装置（例えば、同じ屋内用のカメラ装置）であっても、型式（旧型であるか新型であるか）が異なることもあり得る。ところが、従来のシステムでは、従来のシステムでは、機種の同じカメラ装置を用いることを前提としており、このような機種の異なるカメラ装置がシステム内に混在する場合について何ら想定がされていなかった。
【０００８】
本発明は、上記従来の問題を解決するためになされたもので、機種の異なるカメラ装置が含まれたシステムにおいて、複数のカメラ装置の録画パラメータをまとめて設定することのできる録画パラメータ設定装置を提供することを目的とする。
【課題を解決するための手段】
【０００９】
本発明の録画パラメータ設定装置は、機種の異なる複数のカメラ装置が含まれたシステムにおいて用いられ、前記複数のカメラ装置の録画パラメータの設定を行う録画パラメータ設定装置であって、前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、前記録画パラメータ設定装置は、前記録画パラメータの設定値と前記一括設定パラメータの設定値との対応関係を示す一括設定テーブルが記憶されているテーブル記憶部と、前記録画パラメータの設定が行われるべき前記複数のカメラ装置の各々から、前記カメラ装置の機種情報を取得する機種情報取得部と、前記録画パラメータの一括設定用の入力データとして、前記一括設定項目の設定値のデータを受け付ける入力データ受付部と、前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出す設定値読出し部と、前記設定値読出し部により読み出された前記個別設定項目の設定値を用いて、前記複数のカメラ装置の録画パラメータの設定を行うパラメータ設定部と、を備えた構成を有している。
【００１０】
この構成により、複数のカメラ装置の各々からカメラ装置の機種情報を取得し、その録画パラメータの一括設定用の入力データ（一括設定項目の設定値のデータ）を受け付けると、一括設定テーブルを参照して、録画パラメータの個別設定項目の設定値を読み出し、その個別設定項目の設定値を用いて複数のカメラ装置の録画パラメータの設定を行う。一括設定パラメータの一括設定項目は、機種の異なる複数のカメラ装置について共通の基準を有しており、しかも、一括設定項目を用いると、録画パラメータの複数の個別設定項目をまとめて設定することができる。したがって、機種の異なるカメラ装置が含まれたシステムにおいて、そのカメラ装置の録画パラメータ（カメラ装置ごとに設定される録画パラメータ）が、カメラ装置の機種ごとに基準が異なる複数の個別設定項目を含んでいるような場合であっても、一括設定パラメータの一括設定項目の設定を行うことにより、複数のカメラ装置の録画パラメータ（複数の個別設定項目）をまとめて設定することができる。
【００１１】
また、本発明の録画パラメータ設定装置では、前記一括設定テーブルにおいて、前記一括設定項目の第１の設定値は、前記複数の個別設定項目の各々の第１の設定値に対応しており、前記一括設定項目の第２の設定値は、前記複数の個別設定項目の各々の第２の設定値に対応している構成を有している。
【００１２】
この構成により、一括設定項目（例えば、一括設定用の画質）を第１の設定値（例えば、低画質）に設定することにより、複数の個別設定項目の各々を第１の設定値（例えば、画質の設定値「８」など）にまとめて設定することができ、また、その一括設定項目を第２の設定値（例えば、高画質）に設定することにより、複数の個別設定項目の各々を第２の設定値（例えば、画質の設定値「２」など）にまとめて設定することができる。このように、２段階（第１の設定値と第２の設定値の２段階）で、複数のカメラ装置の録画パラメータ（複数の個別設定項目）を一括設定することができる。
【００１３】
また、本発明の録画パラメータ設定装置では、前記一括設定項目は、一括設定用の録画レートを含み、前記個別設定項目は、圧縮方式、解像度、録画モード、画質、画像サイズ、フレームレート、録画レート、ビットレートのうちの少なくとも二つを含む構成を有している。
【００１４】
この構成により、一括設定用の画質の設定を行うことにより、複数のカメラ装置の圧縮方式、解像度、録画モード、画質、画像サイズ、フレームレート、録画レート、ビットレートのうちの少なくとも二つをまとめて設定することができる。
【００１５】
また、本発明の録画パラメータ設定装置では、前記一括設定項目は、一括設定用の画質を含み、前記個別設定項目は、圧縮方式、解像度、録画モード、画質、画像サイズ、フレームレート、録画レート、ビットレートのうちの少なくとも二つを含む構成を有している。
【００１６】
この構成により、一括設定用の録画レートの設定を行うことにより、複数のカメラ装置の圧縮方式、解像度、録画モード、画質、画像サイズ、フレームレート、録画レート、ビットレートのうちの少なくとも二つをまとめて設定することができる。
【００１７】
本発明の録画パラメータ設定方法は、機種の異なる複数のカメラ装置が含まれたシステムにおいて用いられ、前記複数のカメラ装置の録画パラメータの設定を行う方法であって、前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、録画パラメータ設定装置のテーブル記憶部には、前記録画パラメータの設定値と前記一括設定パラメータの設定値との対応関係を示す一括設定テーブルが記憶されており、前記方法は、前記録画パラメータの設定が行われるべき前記複数のカメラ装置の各々から、前記カメラ装置の機種情報を取得することと、前記録画パラメータの一括設定用の入力データとして、前記一括設定項目の設定値のデータを受け付けることと、前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出すことと、前記設定値読出し部により読み出された前記個別設定項目の設定値を用いて、前記複数のカメラ装置の録画パラメータの設定を行うことと、を含む構成を有している。
【００１８】
この方法によっても、上記と同様に、機種の異なるカメラ装置が含まれたシステムにおいて、そのカメラ装置の録画パラメータ（カメラ装置ごとに設定される録画パラメータ）が、カメラ装置の機種ごとに基準が異なる複数の個別設定項目を含んでいるような場合であっても、一括設定パラメータの一括設定項目の設定を行うことにより、複数のカメラ装置の録画パラメータ（複数の個別設定項目）をまとめて設定することができる。
【００１９】
本発明のシステムは、機種の異なる複数のカメラ装置と、前記複数のカメラ装置の録画パラメータの設定を行う録画パラメータ設定装置とを備えたシステムであって、前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、前記録画パラメータ設定装置は、前記録画パラメータの設定値と前記一括設定パラメータの設定値との対応関係を示す一括設定テーブルが記憶されているテーブル記憶部と、前記録画パラメータの設定が行われるべき前記複数のカメラ装置の各々から、前記カメラ装置の機種情報を取得する機種情報取得部と、前記録画パラメータの一括設定用の入力データとして、前記一括設定項目の設定値のデータを受け付ける入力データ受付部と、前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出す設定値読出し部と、前記設定値読出し部により読み出された前記個別設定項目の設定値を用いて、前記複数のカメラ装置の録画パラメータの設定を行うパラメータ設定部と、を備えた構成を有している。
【００２０】
このシステムによっても、上記と同様に、機種の異なるカメラ装置が含まれたシステムにおいて、そのカメラ装置の録画パラメータ（カメラ装置ごとに設定される録画パラメータ）が、カメラ装置の機種ごとに基準が異なる複数の個別設定項目を含んでいるような場合であっても、一括設定パラメータの一括設定項目の設定を行うことにより、複数のカメラ装置の録画パラメータ（複数の個別設定項目）をまとめて設定することができる。
【００２１】
本発明のプログラムは、機種の異なる複数のカメラ装置が含まれたシステムにおいて用いられ、前記複数のカメラ装置の録画パラメータの設定を行う録画パラメータ設定装置で実行されるプログラムであって、前記複数のカメラ装置ごとに設定されるべき前記録画パラメータは、前記カメラ装置の機種ごとに異なる基準を有する複数の個別設定項目を含んでおり、前記複数のカメラ装置の前記録画パラメータをまとめて設定するための一括設定パラメータは、前記複数の個別設定項目をまとめて設定するための一括設定項目であって、前記機種の異なる複数のカメラ装置について共通の基準を有する前記一括設定項目を含んでおり、録画パラメータ設定装置のテーブル記憶部には、前記録画パラメータの設定値と前記一括設定パラメータの設定値との対応関係を示す一括設定テーブルが記憶されており、前記プログラムは、コンピュータに、前記録画パラメータの設定が行われるべき前記複数のカメラ装置の各々から、前記カメラ装置の機種情報を取得する処理と、前記録画パラメータの一括設定用の入力データとして、前記一括設定項目の設定値のデータを受け付ける処理と、前記機種情報取得部により取得した前記機種情報と、前記入力データ受付部により受け付けた前記入力データに基づいて、前記テーブル記憶部の前記一括設定テーブルを参照し、前記複数のカメラ装置ごとに設定されるべき前記個別設定項目の設定値を読み出す処理と、前記設定値読出し部により読み出された前記個別設定項目の設定値を用いて、前記複数のカメラ装置の録画パラメータの設定を行う処理と、を実行させる構成を有している。
【００２２】
このプログラムによっても、上記と同様に、機種の異なるカメラ装置が含まれたシステムにおいて、そのカメラ装置の録画パラメータ（カメラ装置ごとに設定される録画パラメータ）が、カメラ装置の機種ごとに基準が異なる複数の個別設定項目を含んでいるような場合であっても、一括設定パラメータの一括設定項目の設定を行うことにより、複数のカメラ装置の録画パラメータ（複数の個別設定項目）をまとめて設定することができる。
【発明の効果】
【００２３】
本発明は、機種の異なるカメラ装置が含まれたシステムにおいて、複数のカメラ装置の録画パラメータをまとめて設定することができるという効果を有する録画パラメータ設定装置を提供することができるものである。
【図面の簡単な説明】
【００２４】
【図１】本発明の実施の形態における録画パラメータ設定装置のブロック図
【図２】本発明の実施の形態におけるシステムの構成を示すブロック図
【図３】本発明の実施の形態における一括設定テーブルの一例を示した図
【図４】機種ごとに異なる基準を有する個別設定項目（画質）の一例を示した図
【図５】本発明の実施の形態における録画パラメータ設定装置の動作の流れを示すフロー図
【図６】保存日数固定処理の流れを示すフロー図
【図７】レート固定処理の流れを示すフロー図
【発明を実施するための形態】
【００２５】
以下、本発明の実施の形態の接続確認装置について、図面を用いて説明する。本実施の形態では、監視カメラシステム等に用いられる録画パラメータ設定装置の場合を例示する。この録画パラメータ設定装置は、機種の異なる複数のカメラ装置の録画パラメータをまとめて設定する機能を備えている。この機能は、録画パラメータ設定装置のメモリやＨＤＤに格納されているプログラムによって実現される。
【００２６】
本発明の実施の形態の構成を、図面を参照して説明する。図１は、本実施の形態の録画パラメータ設定装置の構成を示すブロック図であり、図２は、録画パラメータ設定装置が用いられるシステムの構成を示すブロック図である。ここでは、まず、図２を参照しながら、システムの全体的な構成について説明する。
【００２７】
図２に示すように、本実施の形態のシステム１は、カメラ装置２とレコーダ装置３とスイッチ装置４と録画パラメータ設定装置５で構成されている。この例では、２台のスイッチ装置４（スイッチ装置ＡとＢ）は、カスケード接続されている。１段目のスイッチ装置４（スイッチ装置Ａ）には、録画パラメータ設定装置５とレコーダ装置３と複数のカメラ装置２と２段目のスイッチ装置４（スイッチ装置Ｂ）が接続されている。２段目のスイッチ装置４（スイッチ装置Ｂ）には、複数のカメラ装置２が接続されている。このように、複数のカメラ装置２が、２台のスイッチ装置４（スイッチ装置ＡとＢ）を介して、レコーダ装置３に接続されている。これらのカメラ装置２で撮影された映像は、レコーダ装置３にデジタル伝送されて、レコーダ装置３で記録される。そして、図２に示すように、このシステム１では、機種の異なるカメラ装置２が用いられている。
【００２８】
つぎに、図１を参照しながら、録画パラメータ設定装置５の構成について説明する。録画パラメータ設定装置５は、コンピュータ装置（例えば、パーソナルコンピュータなど）で構成されている。なお、本実施の形態では、録画パラメータ設定装置５が、外部装置として構成されている例について説明するが、本発明の範囲はこれに限定されるものではなく、録画パラメータ設定装置５の機能を有するモジュールが、レコーダ装置３に組み込まれてもよい。すなわち、録画パラメータ設定装置５の機能が、レコーダ装置３に内臓されていてもよい。
【００２９】
図１に示すように、録画パラメータ設定装置５は、テーブル記憶部６と機種情報取得部７と入力データ受付部８と設定値読出し部９とパラメータ設定部１０を備えている。テーブル記憶部６には、録画パラメータの設定値と一括設定パラメータの設定値との対応関係を示す一括設定テーブルが記憶される（図３参照）。
【００３０】
録画パラメータは、複数のカメラ装置２ごとに設定されるべきパラメータであり、カメラ装置２の機種ごとに異なる基準を有する複数の個別設定項目（圧縮方式、解像度、録画モード、画質、画像サイズ、フレームレート、録画レート、ビットレートなど）を含んでいる。一括設定パラメータは、複数のカメラ装置２の録画パラメータをまとめて設定するためのパラメータであり、複数の個別設定項目をまとめて設定するための一括設定項目（一括設定用の画質、一括設定用の録画レートなど）を含んでいる。この一括設定項目は、機種の異なる複数のカメラ装置２について共通の基準を有している（図４参照）。
【００３１】
ここで、図３を参照しながら、一括設定テーブルについて具体的に説明する。図３は、一括設定テーブルの一例を示した図である。図３の例では、あるカメラ装置２の機種（機種Ａ）についての録画パラメータの設定値と一括設定パラメータの設定値との対応関係が示されている。この場合、一括設定項目は「一括設定用の画質」と「一括設定用の録画レート」であり、個別設定項目は「圧縮方式」と「解像度」と「録画モード」と「画質」と「画像サイズ」と「フレームレート」と「録画レート」と「ビットレート」である。そして、例えば、「一括設定用の画質：標準画質」「一括設定用の録画レート：２」が、「圧縮方式：ＪＰＥＧ」「解像度：ＳＸＶＧＡ」「録画モード：Ｘモード」「画質：５」「画像サイズ：９９９ＫＢ」「フレームレート：２ｉｐｓ」「録画レート：２ｉｐｓ」と対応づけられている（図３の太枠参照）。
【００３２】
なお、図３では、説明の便宜上、あるカメラ装置２の機種（機種Ａ）についての録画パラメータの設定値と一括設定パラメータの設定値のみが例示されている。すなわち、機種が異なればこれらの設定値も異なるが、図３では、一つの機種（機種Ａ）の設定値のみが例示されている。一般に、カメラ装置２の機種が異なるとパラメータの設定値の基準も異なる。そこで、つぎに、図４を参照しながら、個別設定項目（例えば、画質）が機種ごとに異なる基準を有し、一括設定項目（例えば、一括設定用の画質）が各機種に共通の基準を有する例について説明する。
【００３３】
図４は、機種ごとに異なる基準を有する個別設定項目（画質）の一例を示した図である。図４に示すように、機種Ａは、「画質」として「１〜８」という８段階の設定値を有しており、また、機種Ｂは、「画質」として「１〜５」という５段階の設定値を有している。また、機種Ｃは、「画質」として「１〜１０」という１０段階の設定値を有しており、また、機種Ｄは、「画質」として「１〜８」という８段階の設定値を有している。このように、機種ごとに何段階で「画質」を設定できるかが異なっている。
【００３４】
また、図４に示すように、各機種が設定可能な「画質」の「範囲」も異なっている。すなわち、機種Ａより機種Ｂのほうが、低い画質の範囲まで設定可能であり、機種Ａより機種Ｃや機種Ｄのほうが、高い画質の範囲まで設定可能である。なお、機種Ｃと機種Ｄは、ほぼ同じ範囲の画質を設定可能であるが、上述のように、機種Ｃ（１０段階）のほうが機種Ｄ（８段階）より細かく画質の範囲を設定可能である。
【００３５】
一括設定用の画質（一括設定項目）は、各機種（機種Ａ〜Ｄ）に共通の基準を有している。図４の例では、一括設定用の画質を「高画質」に設定すると、機種Ａの画質が「２」に設定され、機種Ｂの画質が「１」に設定され、機種Ｃの画質が「４」に設定され、機種Ｄの画質が「３」に設定される。同様に、一括設定用の画質を「低画質」に設定すると、機種Ａの画質が「８」に設定され、機種Ｂの画質が「５」に設定され、機種Ｃの画質が「１０」に設定され、機種Ｄの画質が「８」に設定される。なお、これらの「高画質」「低画質」などが本発明の一括設定項目の第１の設定値、第２の設定値に相当し、「画質２、画質１、画質４、画質３」「画質８、画質５、画質１０、画質８」などが本発明の個別設定項目の第１の設定値、第２の設定値に相当する。
【００３６】
上述のように、一括設定テーブルは、個別設定項目（例えば、画質）が機種ごとに異なる基準を有し、一括設定項目（例えば、一括設定用の画質）が各機種に共通の基準を有している。図３および図４の例で、一括設定テーブルにおいて、「一括設定用の画質：標準画質」「一括設定用の録画レート：２」が、機種Ａについて「画質：５」と対応づけられてる場合には、機種Ｂについては「画質：３」と対応づけられており、機種Ｃについては「画質：７」と対応づけられており、機種Ｄについては「画質６」と対応づけられている。
【００３７】
図１に戻って、録画パラメータ設定装置５の構成の説明を続ける。機種情報取得部７は、各カメラ装置２から機種情報を取得する機能を備えている。この機種情報は、そのカメラ装置２の機種を特定できる情報であればよく、例えば、各カメラ装置２の識別番号や型番情報などであってよい。
【００３８】
入力データ受付部８は、録画パラメータの一括設定用の入力データとして、一括設定項目の設定値のデータを受け付ける機能を有している。例えば、設定者（作業者）がキーボードやマウスなどの入力装置（図示せず）を用いて「一括設定用の画質：標準画質」「一括設定用の録画レート：２」などの一括設定項目の設定値のデータを入力すると、入力データ受付部８は、そのデータを録画パラメータの一括設定用の入力データとして受け付ける。なお、本実施の形態では、「一括設定用の画質」や「一括設定用の録画レート」のほかに、「保存日数（カメラ装置２で撮影した映像データを保存しておく日数）」なども、入力データとして受け付けられる。
【００３９】
設定値読出し部９は、上記の機種情報（機種情報取得部７によって取得した機種情報）と入力データ（入力データ受付部８によって受け付けた入力データ）に基づいて、テーブル記憶部６の一括設定テーブルを参照し、カメラ装置２ごとに設定されるべき個別設定項目の設定値を読み出す機能を備えている。例えば、機種Ａのカメラ装置２について、「一括設定用の画質：標準画質」「一括設定用の録画レート：２」という一括設定用の入力データから、「圧縮方式：ＪＰＥＧ」「解像度：ＳＸＶＧＡ」「録画モード：Ｘモード」「画質：５」「画像サイズ：９９９ＫＢ」「フレームレート：２ｉｐｓ」「録画レート：２ｉｐｓ」という個別設定項目の設定値が読み出される（図３参照）。
【００４０】
パラメータ設定部１０は、上記の個別設定項目の設定値（設定値読出し部９によって読み出された個別設定項目の設定値）を用いて、カメラ装置２ごとの録画パラメータの設定を行う機能を備えている。例えば、機種Ａのカメラ装置２について、「圧縮方式：ＪＰＥＧ」「解像度：ＳＸＶＧＡ」「録画モード：Ｘモード」「画質：５」「画像サイズ：９９９ＫＢ」「フレームレート：２ｉｐｓ」「録画レート：２ｉｐｓ」という録画パラメータの設定が行われる。
【００４１】
なお、このパラメータ設定部１０は、一括設定テーブルから読み出された個別設定項目の設定値に基づいて、設定者（作業者）が入力した入力データの値が適切な値であるか否かを判定する機能も備えている。例えば、パラメータ設定部１０は、下記の式１を用いて、入力ビットレートＢＲｉｎ（Ｋｂｐｓ）を算出し、入力ビットレートの上限値と比較する機能を備えている。入力ビットレートＢＲｉｎが所定の上限値以下であれば、入力データの値が適切な値であると判定される。
ＢＲｉｎ＝（ＢＲ１×Ｋ１）＋（ＢＲ２×Ｋ２）＋・・・＋（ＢＲｎ×Ｋｎ）  （式１）
ここで、ＢＲｎ（ｎ＝１、２、・・・Ｎ）は、一括設定テーブルから読み出されたカメラ装置２ごとのビットレートの値（Ｋｐｂｓ）であり、圧縮方式がＪＰＥＧの場合には、録画レート（ｉｐｓ）×画像サイズ（ＫＢ）により算出される。Ｋｎは、圧縮方式およびカメラタイプに応じて設定される任意の係数である。Ｎは、カメラ装置２の台数である。
【００４２】
このパラメータ設定部１０は、下記の式２を用いて、ＪＰＥＧ画像の場合の必要ＨＤＤ容量Ｃ（ＧＢ）（カメラ装置２で撮影した映像を記録するのに必要なレコーダ装置３のＨＤＤの空き容量）を算出し、ＨＤＤ容量（レコーダ装置３の現在の空き容量）と比較する機能を備えている。必要ＨＤＤ容量がＨＤＤ容量以下であれば、入力データの値が適切な値であると判定される。
Ｃ＝（Ｓ１＋Ｓ２＋・・・＋Ｓｎ）×ＲＲ×３６００×Ｈ×Ｄ
／（Ｍ×１０００×１０００）  （式２）
ここで、Ｓｎ（ｎ＝１、２、・・・Ｎ）は、一括設定テーブルから読み出されたカメラ装置２ごとの画像サイズ（ＫＢ）であり、ＲＲは、録画レート（ｉｐｓ）であり、下記の式３によって算出される。Ｈは、１日あたりの録画時間（時間／日）であり、Ｄは、保存日数（日）である。Ｍは、レコーダ装置３に応じて設定される任意の係数である。Ｎは、カメラ装置２の台数である。
【００４３】
ＲＲ＝ＲＲ１＋ＲＲ２＋・・・＋ＲＲｎ  （式３）
ここで、ＲＲｎ（ｎ＝１、２、・・・Ｎ）は、一括設定テーブルから読み出されたカメラ装置２ごとの録画レートである。Ｎは、カメラ装置２の台数である。
【００４４】
また、このパラメータ設定部１０は、下記の式４を用いて、ＭＰＥＧ−４／Ｈ．２６４画像の場合の必要ＨＤＤ容量Ｃ（ＧＢ）（カメラ装置２で撮影した映像を記録するのに必要なレコーダ装置３のＨＤＤの空き容量）を算出し、ＨＤＤ容量（レコーダ装置３の現在の空き容量）と比較する機能を備えている。必要ＨＤＤ容量がＨＤＤ容量以下であれば、入力データの値が適切な値であると判定される。
Ｃ＝（ＢＲ１＋ＢＲ２＋・・・＋ＢＲｎ）÷８×３６００×Ｈ×Ｄ
／（Ｍ×１０００×１０００）  （式４）
ここで、ＢＲｎ（ｎ＝１、２、・・・Ｎ）は、ＢＲｎ（ｎ＝１、２、・・・Ｎ）は、一括設定テーブルから読み出されたカメラ装置２ごとのビットレートの値（Ｋｐｂｓ）である。Ｈは、１日あたりの録画時間（時間／日）であり、Ｄは、保存日数（日）である。Ｍは、レコーダ装置３に応じて設定される任意の係数である。Ｎは、カメラ装置２の台数である。
【００４５】
このパラメータ設定部１０は、下記の式５を用いて、ＪＰＥＧ画像の場合の保存日数Ｄ（日）（必要ＨＤＤ容量＝ＨＤＤ容量となる保存日数）を算出する機能を備えている。
Ｄ＝Ｃ×Ｍ×１０００×１０００
／（（Ｓ１＋Ｓ２＋・・・＋Ｓｎ）×ＲＲ×３６００×Ｈ）  （式５）
ここで、Ｃは、上記の式２によって算出された必要ＨＤＤ容量（ＧＢ）であり、Ｍは、レコーダ装置３に応じて設定される任意の係数である。Ｓｎ（ｎ＝１、２、・・・Ｎ）は、一括設定テーブルから読み出されたカメラ装置２ごとの画像サイズ（ＫＢ）であり、ＲＲは、上記の式３によって算出された録画レート（ｉｐｓ）である。Ｈは、１日あたりの録画時間（時間／日）である。Ｎは、カメラ装置２の台数である。
【００４６】
また、このパラメータ設定部１０は、下記の式６を用いて、ＭＰＥＧ−４／Ｈ．２６４画像の場合の保存日数Ｄ（日）（必要ＨＤＤ容量＝ＨＤＤ容量となる保存日数）を算出する機能を備えている。
Ｄ＝Ｃ×Ｍ×１０００×１０００
／（（Ｓ１＋Ｓ２＋・・・＋Ｓｎ）÷８×３６００×Ｈ）  （式６）
ここで、Ｃは、上記の式４によって算出された必要ＨＤＤ容量（ＧＢ）であり、Ｍは、レコーダ装置３に応じて設定される任意の係数である。Ｓｎ（ｎ＝１、２、・・・Ｎ）は、一括設定テーブルから読み出されたカメラ装置２ごとの画像サイズ（ＫＢ）であり、Ｈは、１日あたりの録画時間（時間／日）である。Ｎは、カメラ装置２の台数である。
【００４７】
以上のように構成された本実施の形態の録画パラメータ設定装置５について、図面を参照してその動作を説明する。
【００４８】
図５は、システム１を構成するカメラ装置２（機種の異なる複数のカメラ装置２）の録画パラメータの一括設定の動作の流れを示すフロー図である。図５に示すように、本実施の形態の録画パラメータ設定装置５で、録画パラメータの一括設定が行われるときには、まず、各カメラ装置２から機種情報が取得される（Ｓ１）。また、設定者（作業者）が「一括設定用の画質」「一括設定用の録画レート」「保存日数」の設定値を入力すると、それらの入力データが受け付けられる（Ｓ２）。
【００４９】
つぎに、録画パラメータ設定装置５では、上記の式１を用いて、入力ビットレートＢＲｉｎが算出され（Ｓ３）、所定の上限値と比較される（Ｓ４）。入力ビットレートＢＲｉｎが上限値より大きかった場合には、「一括設定用の録画レートを下げてください。」または「一括設定用の画質を下げてください。」などのメッセージ通知が行われ（Ｓ５）、処理が終了する。上記ステップＳ４やステップＳ７の上限値は、テーブル（静的なテーブル）で管理されている。そのため、レコーダ装置３の入力ビットレートやＨＤＤ容量などの制約を満たすような設定を簡単に行うことができる。
【００５０】
一方、入力ビットレートＢＲｉｎが上限値以下であった場合には、上記の式２または式４を用いて、必要ＨＤＤ容量Ｃが算出され（Ｓ６）、上限値（例えば、ＨＤＤ容量：レコーダ装置３の現在の空き容量）と比較される（Ｓ７）。必要ＨＤＤ容量Ｃが上限値以下であった場合には、入力データに基づいて読み出された設定値で、カメラ装置２ごとに録画パラメータの設定が行われる（Ｓ８）。例えば、入力データが「一括設定用の画質：標準画質」「一括設定用の録画レート：２」であった場合には、機種Ａのカメラ装置２について「圧縮方式：ＪＰＥＧ」「解像度：ＳＸＶＧＡ」「録画モード：Ｘモード」「画質：５」「画像サイズ：９９９ＫＢ」「フレームレート：２ｉｐｓ」「録画レート：２ｉｐｓ」という録画パラメータが設定される。
【００５１】
必要ＨＤＤ容量Ｃが上限値より大きかった場合には、「保存日数を固定する（一括設定用の録画レートを調整する）」か「一括設定用の録画レートを固定する（保存日数を調整する）」のいずれかを選択する（Ｓ９）。「保存日数を固定する」を選択した場合には、保存日数固定処理が実行される（Ｓ１０）。一方、「一括設定用の録画レートを固定する」を選択した場合には、レート固定処理が実行される（Ｓ１１）。
【００５２】
図６は、保存日数固定処理の流れを示すフロー図である。図６に示すように、保存日数固定処理が実行されたときには、まず、一括設定用の録画レートが１つ下げる処理が行われる（Ｓ２０）。例えば、一括設定用の録画レートが「２」であった場合には「１」に調整（再設定）される。そして、この調整後の一括設定用の録画レートの設定値が最小値「１」より小さいか否かの判定が行われる（Ｓ２１）。調整後の一括設定用の録画レートの設定値が最小値より小さい場合（設定値が「０」になってしまった場合）には、一括設定用の録画レートを最小値「１」に設定し（Ｓ２２）、「保存日数を短くしてください。」または「一括設定用の画質を下げてください。」または「録画時間を短くしてください。」などのメッセージ通知を行って（Ｓ２３）、処理を終了する。
【００５３】
一方、調整後の一括設定用の録画レートの設定値が最小値以上であった場合には、上記の式２または式４を用いて、必要ＨＤＤ容量Ｃが算出され（Ｓ２４）、上限値（例えば、ＨＤＤ容量：レコーダ装置３の現在の空き容量）と比較される（Ｓ２５）。必要ＨＤＤ容量Ｃが上限値以下であった場合には、入力データに基づいて読み出された設定値で、カメラ装置２ごとに録画パラメータの設定が行われる（Ｓ２６）。
【００５４】
必要ＨＤＤ容量Ｃが上限値より大きかった場合には、「保存日数を固定する（一括設定用の録画レートを調整する）」か「一括設定用の録画レートを固定する（保存日数を調整する）」のいずれかを選択する（Ｓ２７）。「保存日数を固定する」を選択した場合には、保存日数固定処理が実行される（Ｓ２８）。一方、「一括設定用の録画レートを固定する」を選択した場合には、レート固定処理が実行される（Ｓ２９）。
【００５５】
図７は、レート固定処理の流れを示すフロー図である。図７に示すように、この場合には、上記の式５または式６を用いて、「必要ＨＤＤ容量＝ＨＤＤ容量」となる保存日数Ｄが算出される（Ｓ３０）。この保存日数Ｄが許容範囲内であるか否かの判定を行い（Ｓ３１）、保存日数Ｄが許容範囲内でなければ、「保存日数を短くしてください。」または「一括設定用の画質を下げてください。」または「録画時間を短くしてください。」などのメッセージ通知を行って（Ｓ３２）、処理を終了する。一方、保存日数Ｄが許容範囲内であれば、入力データに基づいて読み出された設定値で、カメラ装置２ごとに録画パラメータの設定が行われる（Ｓ３３）。
【００５６】
このような本発明の実施の形態の録画パラメータ設定装置５によれば、機種の異なるカメラ装置２が含まれたシステム１において、複数のカメラ装置２の録画パラメータをまとめて設定することができる。この場合、「一括設定用の録画レート」「一括設定用の画質」「保存日数」の３つのデータ（一括設定用の入力データ）を入力するだけで、適切な設定を簡単に行うことができる。
【００５７】
すなわち、本実施の形態では、複数のカメラ装置２の各々からカメラ装置２の機種情報を取得し、その録画パラメータの一括設定用の入力データ（一括設定項目の設定値のデータ）を受け付けると、図３のような一括設定テーブルを参照して、録画パラメータの個別設定項目の設定値を読み出し、その個別設定項目の設定値を用いて複数のカメラ装置２の録画パラメータの設定を行う。一括設定パラメータの一括設定項目は、機種の異なる複数のカメラ装置２について共通の基準を有しており、しかも、一括設定項目を用いると、録画パラメータの複数の個別設定項目をまとめて設定することができる。したがって、機種の異なるカメラ装置２が含まれたシステム１において、そのカメラ装置２の録画パラメータ（カメラ装置２ごとに設定される録画パラメータ）が、カメラ装置２の機種ごとに基準が異なる複数の個別設定項目を含んでいるような場合であっても、一括設定パラメータの一括設定項目の設定を行うことにより、複数のカメラ装置２の録画パラメータ（複数の個別設定項目）をまとめて設定することができる。
【００５８】
また、本実施の形態では、一括設定項目（例えば、一括設定用の画質）を第１の設定値（例えば、低画質）に設定することにより、複数の個別設定項目の各々を第１の設定値（例えば、画質の設定値「８」など）にまとめて設定することができ、また、その一括設定項目を第２の設定値（例えば、高画質）に設定することにより、複数の個別設定項目の各々を第２の設定値（例えば、画質の設定値「２」など）にまとめて設定することができる。このように、２段階（第１の設定値と第２の設定値の２段階）で、複数のカメラ装置２の録画パラメータ（複数の個別設定項目）を一括設定することができる。
【００５９】
また、本実施の形態では、「一括設定用の画質」と「一括設定用の画像レート」の設定を行うことにより、複数のカメラ装置２の「圧縮方式」「解像度」「録画モード」「画質」「画像サイズ」「フレームレート」「録画レート」「ビットレート」をまとめて設定することができる。
【００６０】
以上、本発明の実施の形態を例示により説明したが、本発明の範囲はこれらに限定されるものではなく、請求項に記載された範囲内において目的に応じて変更・変形することが可能である。
【産業上の利用可能性】
【００６１】
以上のように、本発明にかかる録画パラメータ設定装置は、機種の異なる複数のカメラ装置の録画パラメータをまとめて設定することができるという効果を有し、監視カメラシステム等に適用され、有用である。
【符号の説明】
【００６２】
１  システム
２  カメラ装置
３  レコーダ装置
４  スイッチ装置
５  録画パラメータ設定装置
６  テーブル記憶部
７  機種情報取得部
８  入力データ受付部
９  設定値読出し部
１０  パラメータ設定部
【図１】
2011249903.tif 000003
【図２】
2011249903.tif 000004
【図３】
2011249903.tif 000005
【図４】
2011249903.tif 000006
【図５】
2011249903.tif 000007
【図６】
2011249903.tif 000008
【図７】
2011249903.tif 000009